(57)【要約】【課題】  カットイン音声の音声モードを放送中の番組の音声モードに一致するよう自動切換が可能なマスターＡＰＣシステム、およびその切換制御方法を提供する。【解決手段】  ＡＰＣ２のＣＰＵ２２は、内部メモリに放送中の番組に設定したＰＭＴの音声モードＥＳ数を記憶し、カットインコマンドが入力されると、カットイン音声が入力されるサブシステム１ｃに切り換えると共に、内部メモリから記憶したＥＳ数を読み出してカットイン音声のストリームにカットイン直前に放送している番組の音声モードと同じＥＳ数を設定する。【選択図】  図１
2006203383.tif 000002
【特許請求の範囲】
【請求項１】
番組編成表のデータを参照して、複数のサブシステムから入力される放送番組信号のストリームを切り換えるマスターＡＰＣシステムにおいて、
放送中に特別番組のカットインコマンドをＡＰＣへ出力する監視卓と、
接続された前記複数のサブシステムから入力される前記ストリームを選択して出力する選択部と前記選択部から出力されたストリームのＰＭＴにマッピングを行い出力するマッピング部とを備えるスイッチャと、
前記マッピングされて出力されたストリームの音声符号化を行い出力する符号化部と、
前記音声符号化されたストリームの音声多重化を行い出力する多重化部と、
内蔵する記憶装置に記憶した番組編成表のデータを参照して放送するストリームを入力する前記サブシステムを選択する選択信号を前記選択部へ出力し、また放送するストリームに設定されるＥＳ数の音声モードを当該ストリームのＰＭＴへマッピングする制御信号を前記マッピング部へ出力するとともに前記ＥＳ数による音声多重化を行う多重化制御信号を前記多重化部へ出力する音声モード制御を行い、前記監視卓から前記カットインコマンドを受信した場合、前記特別番組のストリームが入力される前記サブシステムを選択する選択信号を前記選択部に送信すると共に、前記カットインコマンドが入力される前と同じ前記ＥＳ数のマッピングと前記音声多重化とを継続して前記特別番組のストリームに行うＡＰＣとを
具備することを特徴とするマスターＡＰＣシステム。
【請求項２】
番組編成表のデータを参照して、複数のサブシステムから入力される放送番組信号のストリームを切り換えるマスターＡＰＣシステムの切換制御方法において、
前記マスターＡＰＣシステムは、
放送中に特別番組のカットインコマンドをＡＰＣへ出力する監視卓と、
選択部とマッピング部とを備えるスイッチャと、
符号化部と、
多重化部と、
ＡＰＣとを具備し、
前記ＡＰＣは、
内蔵する記憶装置に記憶した番組編成表のデータを参照して放送するストリームを入力する前記サブシステムを選択する選択信号を前記スイッチャの前記選択部へ出力し、また放送するストリームのＰＭＴへ音声モードのＥＳ数のマッピング制御信号を前記スイッチャの前記マッピング部へ出力するとともに前記ＥＳ数に従う音声多重化を行う多重化制御信号を前記多重化部へ出力し、前記選択信号が入力された前記選択部は、前記選択されたサブシステムから入力されるストリームを前記マッピング部に出力し、前記ＥＳ数のマッピング制御信号を入力された前記マッピング部は、前記入力される前記サブシステムのストリームのＰＭＴへ前記ＥＳ数のマッピングをした第２のストリームを前記多重化部に出力し、前記マッピングされたＰＭＴの前記第２のストリームが入力された前記多重化部は、前記多重化制御信号に従い前記ＥＳ数に従う音声多重化を行った第３のストリームを出力し、
前記監視卓から特別番組のカットインコマンドが前記ＡＰＣに入力された場合、前記ＡＰＣは、
前記特別番組のストリームが入力される前記サブシステムを選択する選択信号を前記選択部に出力して前記特別番組のストリームを前記選択部から前記マッピング部へ出力する制御を行うとともに、前記カットインコマンドが入力される前と同じ前記ＥＳ数のマッピングと前記音声多重化の制御信号とを前記マッピング部と前記多重化部へ継続して出力することを
特徴とするマスターＡＰＣシステムの切換制御方法。
【発明の詳細な説明】
【技術分野】
【０００１】
本発明は、サブシステムからの番組情報を切り換えて送信するマスターＡＰＣシステム、およびその切換制御方法に関する。
【背景技術】
【０００２】
放送局では番組を時刻表に従い管理する自動番組送出制御設備（ＡＰＣ）によりニュースや音楽ドラマなど多様なプログラムが自動的に切り換えられて放送される。
【０００３】
これらの番組の音声は、モノラル、ステレオ、多国語放送など音声モードが番組により様々に設定される。デジタル放送信号には、受信器側で音声モードを自動的に検出して切換ることが出来るよう、制御情報が付加されているので音声モードが切り換えられても、その制御情報に従って音声モードを切り換えることにより違和感無く音声再生が可能である。（例えば、特許文献１。）。
【０００４】
この様な制御情報は、例えば、ＩＳＯ／ＩＥＥ１３８１８１−１で規定されているＰＭＴ（Ｐｒｏｇｒａｍ  Ｍａｐｐｉｎｇ  Ｔａｂｌｅ）として放送局が送信する放送信号に記述されている。
【０００５】
一方送信局では、災害や臨時ニュースなどの緊急特別番組を放送する場合、アナウンサーの音声がカットインされるが、このカットイン音声の音声モードが番組で放送中の音声モード、即ち、ＰＭＴに記述された音声モードと一致しない場合がある。例えば、標準品位と高品質品位の音声ビットストリームが切り換えられると両者の符号化率等の違いから音声に乱れが生じ音声が聞き苦しい音声になるなど放送不体裁が生じることがある。
【０００６】
従来は、この不具合が発生するのを防ぐ為に、例えば、マスターＡＰＣシステムのオペレータが放送中の音声モードを確認し、放送中の音声モードにカットイン音声を合わせるように音声モード設定をマニュアル操作で行うなど、番組切換の自動化が不十分な問題があった。
【特許文献１】特開２０００−１３８７７号公報  （第１３頁、第２図）
【発明の開示】
【発明が解決しようとする課題】
【０００７】
従来は、音声カットインを行う場合、再生音声に不体裁が発生するのを防ぐ為に、係員が放送中の音声モードを確認し、放送中の音声モードにカットイン音声を合わせる音声モード設定をマニュアル操作で行うため番組切換の自動化が不十分な問題があった。
【０００８】
本発明は上記問題を解決するためになされたもので、音声カットインをする場合でも受信側で音声が不体裁になることを防ぐために、カットイン音声の音声モードを放送中の番組の音声モードに一致するよう自動切換が可能なマスターＡＰＣシステム、およびその切換制御方法を提供することを目的とする。
【課題を解決するための手段】
【０００９】
上記目的を達成するために、本発明のマスターＡＰＣシステムは、番組編成表のデータを参照して、複数のサブシステムから入力される放送番組信号のストリームを切り換えるマスターＡＰＣシステムにおいて、放送中に特別番組のカットインコマンドをＡＰＣへ出力する監視卓と、接続された前記複数のサブシステムから入力される前記ストリームを選択して出力する選択部と前記選択部から出力されたストリームのＰＭＴにマッピングを行い出力するマッピング部とを備えるスイッチャと、前記マッピングされて出力されたストリームの音声符号化を行い出力する符号化部と、前記音声符号化されたストリームの音声多重化を行い出力する多重化部と、内蔵する記憶装置に記憶した番組編成表のデータを参照して放送するストリームを入力する前記サブシステムを選択する選択信号を前記選択部へ出力し、また放送するストリームに設定されるＥＳ数の音声モードを当該ストリームのＰＭＴへマッピングする制御信号を前記マッピング部へ出力するとともに前記ＥＳ数による音声多重化を行う多重化制御信号を前記多重化部へ出力する音声モード制御を行い、前記監視卓から前記カットインコマンドを受信した場合、前記特別番組のストリームが入力される前記サブシステムを選択する選択信号を前記選択部に送信すると共に、前記カットインコマンドが入力される前と同じ前記ＥＳ数のマッピングと前記音声多重化とを継続して前記特別番組のストリームに行うＡＰＣとを具備することを特徴とする。
【００１０】
また、本発明の、マスターＡＰＣシステムの切換制御方法は、番組編成表のデータを参照して、複数のサブシステムから入力される放送番組信号のストリームを切り換えるマスターＡＰＣシステムの切換制御方法において、前記マスターＡＰＣシステムは、放送中に特別番組のカットインコマンドをＡＰＣへ出力する監視卓と、選択部とマッピング部とを備えるスイッチャと、符号化部と、多重化部と、ＡＰＣとを具備し、前記ＡＰＣは、内蔵する記憶装置に記憶した番組編成表のデータを参照して放送するストリームを入力する前記サブシステムを選択する選択信号を前記スイッチャの前記選択部へ出力し、また放送するストリームのＰＭＴへ音声モードのＥＳ数のマッピング制御信号を前記スイッチャの前記マッピング部へ出力するとともに前記ＥＳ数に従う音声多重化を行う多重化制御信号を前記多重化部へ出力し、前記選択信号が入力された前記選択部は、前記選択されたサブシステムから入力されるストリームを前記マッピング部に出力し、前記ＥＳ数のマッピング制御信号を入力された前記マッピング部は、前記入力される前記サブシステムのストリームのＰＭＴへ前記ＥＳ数のマッピングをした第２のストリームを前記多重化部に出力し、前記マッピングされたＰＭＴの前記第２のストリームが入力された前記多重化部は、前記多重化制御信号に従い前記ＥＳ数に従う音声多重化を行った第３のストリームを出力し、前記監視卓から特別番組のカットインコマンドが前記ＡＰＣに入力された場合、前記ＡＰＣは、前記特別番組のストリームが入力される前記サブシステムを選択する選択信号を前記選択部に出力して前記特別番組のストリームを前記選択部から前記マッピング部へ出力する制御を行うとともに、前記カットインコマンドが入力される前と同じ前記ＥＳ数のマッピングと前記音声多重化の制御信号とを前記マッピング部と前記多重化部へ継続して出力することを特徴とする。
【発明の効果】
【００１１】
本発明によれば、自動的にカットイン音声の音声モードを放送中の番組の音声モードに一致するよう自動切換が可能なマスターＡＰＣシステム、およびその切換制御方法を提供することができる。
【発明を実施するための最良の形態】
【００１２】
以下、図面を参照して本発明の実施例を説明する。
【実施例】
【００１３】
図１は、本発明の実施例に係るマスターＡＰＣシステムの構成図である。  
図１においてマスターＡＰＣシステムは、サブシステム１ａ、１ｂ…、ＡＰＣ（Ａｕｔｏｍａｔｉｃ  Ｐｒｏｇｒａｍ  Ｃｏｎｔｒｏｌｌｅｒ）２、スイッチャ３、ＥＮＣ（エンコーダ、符号化装置）４、ＭＵＸ（多重化装置）５と、監視卓６とを備えている。サブシステム１ａ、１ｂ…は、スイッチャ３に接続されてそれぞれ放送番組信号のストリームを出力する装置である。ＡＰＣ２は、予め設定される番組編成スケジュールに従いサブシステム１ａ、１ｂ…を切換える制御信号をスイッチャ３へ出力する。またＡＰＣ２は、各ストリームに付加される当該ストリームについての制御情報ＰＭＴに設定された制御信号をＥＮＣ４とＭＵＸ５へ出力し、それぞれ所要の符号化と多重化を制御する。
【００１４】
ストリームは、例えば、ＭＰＥＧ２  ＡＡＣ（Ｍｏｔｉｏｎ  Ｐｉｃｔｕｒｅ  Ｅｘｐｅｒｔ  Ｇｒｏｕｐ２、Ａｄｖａｎｃｅｄ  Ａｕｄｉｏ  Ｃｏｄｉｎｇ）により規定される信号である。
【００１５】
カットイン操作は、監視卓６のボタン等によりＡＰＣ２へカットインコマンドが出力され、カットインコマンドが入力されたＡＰＣ２は、カットイン音声を出力しているサブシステム（ここでは、１ｃとする。）の入力信号を選択して出力する制御信号をスイッチャ３へ出力することによって行われる。
【００１６】
図２は、図１におけるＡＰＣ２の機能構成を示すブロック図である。  
図２において、ＡＰＣ２は、内部バス等でそれぞれが接続される入力部２１、ＣＰＵ２２、記憶装置２３と、出力部２４、タイマ２５とを備える。入力部２１は、監視卓６からの制御コマンドや各サブシステム等からのモニタ情報、また、外部情報装置から、例えば、番組編成表のデータ等が入力されるインタフェースである。
【００１７】
ＣＰＵ２２は、内部バスから入力部２１を介した監視卓６からのコマンド、またはタイマ２５を参照するか、もしくはタイマからのアラームにより記憶装置２３から番組編成表のデータを読み出してサブシステム１ａ〜１ｂからのストリームのいずれかを現在送信する番組の放送信号として選択する選択信号、および送信する放送信号の音声モードをＰＭＴにマッピングするマッピング制御信号をスイッチャ３に出力する。また、ＣＰＵ２２はＥＮＣ４にＰＭＴに設定された音声モードの符号化を設定する符号化制御信号、ＭＵＸ５にＰＭＴに設定された音声モードで多重する多重制御信号を出力する。以上の制御信号により放送信号が選択され、それぞれ所定の符号化、及びＰＭＴへ音声モードがマッピングされる。
【００１８】
記憶装置２３では、入力部２１を介して監視卓６から、または、入力部２１を介して図示しない番組編集装置から入力された番組編成表のデータが書き込まれて記憶される。番組編成表のデータは、番組名、開始・終了時刻等の他に当該放送信号に関するモノラル、ステレオ、多国語放送などの音声モード等のＰＭＴ作成に必要な情報が含まれる。
【００１９】
出力部２４は、ＣＰＵ２から選択信号、符号化制御信号、マッピング制御信号等をスイッチャ２、ＥＮＣ４等に出力するインタフェースである。入力部２１と出力部２４とは、１つの、例えば、ＴＣＰ／ＩＰインタフェースの様なネットワークと接続するインタフェースであっても良い。この場合、ＡＰＣ２とスイッチャ３、ＥＮＣ４、ＭＵＸ５との間はＬＡＮの様なネットワーク接続で各制御信号が入出力される。
【００２０】
図３は、スイッチャ３の構成を説明する機能ブロック図である。  
図３において、スイッチャ３は、切換部３１とマッピング部３２を備える。
【００２１】
切換部３１は、サブシステム１ａ、１ｂ…からの音声信号（ストリーム）が入力され、ＡＰＣ２からの選択信号により所定の例えばサブシステム１ａの音声信号が送信する放送信号として選択され、マッピング部３２へ出力される。
【００２２】
マッピング部３２は、このストリームに、音声モード等をマッピングしたＰＭＴを付加してＥＮＣ４へ出力する。
【００２３】
図４は、マスターＡＰＣシステムにおけるカットイン処理時の動作手順を説明するフローチャートである。  
以下、図１〜図４を参照してマスターＡＰＣシステムにおけるにおけるカットイン処理時の各構成の動作と手順を説明する。
【００２４】
ＡＰＣ２のＣＰＵ２２は、タイマ２５を参照して記憶装置２３から番組編成表のデータを読み出し（ステップｓ１）、所定の時刻の間に送信されるサブシステム１ａ、１ｂのストリームを選択する（ここでは、日本語と英語の２カ国語放送とする。）選択信号をスイッチャ３の切換部３１へ送信する（ステップｓ２）。そして、２カ国語放送であるのでＭＰＥＧ２のストリーム信号が２カ国語放送の音声モードであることを示す「ＥＳ数（Ｅｌｅｍｅｎｔｌｙ  Ｓｔｒｅａｍ  数）２」をＰＭＴに設定するマッピング制御信号をスイッチャ３のマッピング部３２へ出力する（ステップｓ３）。また、ＣＰＵ２２は、ＥＮＣ４へ２カ国語音声放送用の音声品質の符号化を行う符号化制御信号と、ＭＵＸ５へ２カ国語音声放送を行う多重制御信号とを出力する（ステップｓ４）。
【００２５】
ＣＰＵ２２は、以上のマッピング制御信号はじめ、各制御信号等のパラメータをＡＰＣ２の内部メモリ（図示せず）に書き込み記憶する（ステップｓ５）。
【００２６】
２カ国語放送の選択信号がスイッチャ３の選択部３１に出力されたことにより、選択部３２は、日本語のステレオ音声（左＋右）を供給するサブシステム１ａと英語のステレオ音声（左＋右）を供給するサブシステム１ｂからのストリームを取り込み、マッピング部３２に出力する（ステップｓ２−１）。
【００２７】
マッピング部３２は入力されたストリームのＰＭＴに音声モード「ＥＳ数２」をマッピングしてＥＮＣ４へ出力する（ステップｓ３−１）。ＥＮＣ４では、入力されたストリーム信号をＡＰＣ２から入力された符号化制御信号に従って所定の２カ国語放送用の音声品質で符号化したストリーム信号にしてＭＵＸ５へ出力する（ステップｓ４−１）。ＭＵＸ５は入力されたストリーム信号をＡＰＣ２から入力された多重制御信号に従って２カ国語放送の音声多重化をしたストリーム（放送信号）にして、送信器または、次段のスタジオ機器等のサブシステムへ出力する（ステップｓ４−２）。
【００２８】
図５は、ＥＳ数が「２」に設定された場合のＭＵＸ５が出力するストリーム（放送信号）のデータフレーム構成の概念を示す図である。  
図５において送信される音声信号は、日本語左ＪＬ、日本語右ＪＲ、英語左ＥＬ、英語右ＥＲの４つの音声パケットがシリアルに並んだビットストリームの放送信号である。
【００２９】
一方、２カ国語放送中に、災害発生を告げるニュースの音声がカットインされるとする。監視卓６のカットイン放送を行うボタン（図示せず）が押され、カットインコマンドがＡＰＣ２へ入力部２１を介して入力される（ステップｓ６）。ＣＰＵ２は、内部バスを監視しているのでカットインコマンドを検知する（ステップｓ７がＹｅｓ）と、カットイン切換の制御を開始する。
【００３０】
ＣＰＵ２２は、スイッチャ３の切換部３２へカットイン時の音声信号（ストリーム）を出力するサブシステム１ｃを信号入力先とする選択信号を出力し（ステップｓ８）、切換部３２はサブシステム１ｃからのストリームを選択してマッピング部３２へ出力する（ステップｓ８―１）。
【００３１】
また、ＣＰＵ２２はカットインコマンド検出時に、内部メモリから現在ＰＭＴに設定している音声モード「ＥＳ数２」読み出して引き続き「ＥＳ数２」を設定するマッピング制御信号をスイッチャ３のマッピング部３２へ出力し（ステップｓ９）、マッピング部３２は選択部３１から入力されるストリームのＰＭＴに「ＥＳ数２」に従うマッピングをする（ステップｓ９−１）。
【００３２】
このＰＭＴにマッピング情報同様、ＣＰＵ２２からＥＮＣ４と、ＭＵＸ５とへ現在放送中のストリーム信号にも２カ国語放送の音声モードの符号化と多重化を継続する制御信号が送信され、（ステップｓ１０）、ＭＵＸ５からは、２カ国語放送の音声モードと同じ放送信号が出力される（ステップｓ１０―１）。
【００３３】
図６は、カットイン音声のサブシステム１ｃが出力する音声信号のストリームの構成を示す図である。  
サブシステム１ｃからは、日本語のステレオ音声（実際には、日本語左、日本語右が同じになった信号）で「ＥＳ数」は「１」の信号、もしくはツーペアステレオの信号である。また、サブシステム１ｃからスイッチャ３へ入力されるカットイン音声信号は、系列局の信号（ＮＥＴ信号）で音声モードが上記のいずれかに限定された特殊な音声モードの信号ではないので放送中の音声信号の音声モードに合わせることに困難は無い。
【００３４】
図７は、カットイン時にＭＵＸ５から出力されるストリーム信号のストリームの構成を示す概念図である。  
図７において、カットイン放送時には、２カ国語放送時の日本語左ＪＬ、右ＪＲのデータ設定位置にサブシステム１ｃからの日本語左ｊｌ、右ｊｒのカットイン音声信号が挿入され、また、２カ国語放送時の英語左ＥＬ、右ＥＲのデータ設定位置にサブシステム１ｃからの日本語左ｊｌ、右ｊｒの音声信号が挿入されるＰＭＴが作成され、ＭＵＸ５からはそのＰＭＴに合わせた放送信号が出力される。
【００３５】
以上の手順により、カットイン音声の音声モードを放送中の番組の音声モードに一致するよう自動切換が可能である。そして、受信側では、あたかも受信中の放送がそのまま継続している様に処理され、音声モードの変更も起きないので再生音声にも不体裁が生ぜず自然なカットイン音声にすることが出来る。
【図面の簡単な説明】
【００３６】
【図１】本発明の実施例に係るマスターＡＰＣシステムの構成図。
【図２】図１におけるＡＰＣの機能構成を示すブロック図。
【図３】スイッチャの機能構成を説明するブロック図。
【図４】マスターＡＰＣシステムにおけるカットイン処理時の動作手順を説明するフローチャート。
【図５】「ＥＳ数２」に設定された場合にＭＵＸが出力するストリーム（放送信号）のデータフレーム構成の概念を示す図。
【図６】カットイン音声のサブシステムが出力する音声信号のストリームの構成を示す図。
【図７】ＭＵＸから出力されるストリーム信号のストリームの構成を示す概念図。
【符号の説明】
【００３７】
１ａ、１ｂ…  サブシステム
２  ＡＰＣ（Ａｕｔｏｍａｎｉｃ  Ｐｒｏｇｒａｍ  Ｃｏｎｔｒｏｌｌｅｒ）
２１  入力部
２２  ＣＰＵ
２３  記憶装置
２４  出力部
２５  タイマ
３  スイッチャ
３１  選択部
３２  マッピング部
４  ＥＮＣ（符号化装置）
５  ＭＵＸ（多重化装置）
【図１】
2006203383.tif 000003
【図２】
2006203383.tif 000004
【図３】
2006203383.tif 000005
【図４】
2006203383.tif 000006
【図５】
2006203383.tif 000007
【図６】
2006203383.tif 000008
【図７】
2006203383.tif 000009